(57)【要約】【課題】  どのような画像形成処理を行った場合にも用紙上の同一の位置にアノテーションを形成することができる画像形成装置を提供することを目的とする。【解決手段】  複数の原稿からなる原稿束を構成する各原稿を読み取る原稿読取部１１と、該原稿読取部で読み取られた原稿のコピー画像を用紙上に形成する画像形成部１２とを備えた画像形成装置１０において、原稿読取部１１は複数サイズの原稿が混在する原稿束を構成する各原稿を読み取る機能を有し、画像形成部１２に、原稿のサイズの如何にかかわらず、コピー画像が形成された用紙上の同一の位置にアノテーションを形成させるアノテーション制御部１５を備えた。【選択図】        図１
2007065141.tif 000002
【特許請求の範囲】
【請求項１】
複数の原稿からなる原稿束を構成する各原稿を読み取る原稿読取部と、該原稿読取部で読み取られた原稿のコピー画像を用紙上に形成する画像形成部とを備えた画像形成装置において、
前記原稿読取部が、複数サイズの原稿が混在する原稿束を構成する各原稿を読み取る機能を有し、
この画像形成装置が、前記画像形成部に、原稿のサイズの如何にかかわらず、コピー画像が形成された用紙上の同一の位置にアノテーションを形成させるアノテーション制御部を備えたことを特徴とする画像形成装置。
【請求項２】
前記画像形成部は、読み取った原稿の拡大もしくは縮小したコピー画像を形成する機能を有し、該画像形成部が、拡大もしくは縮小したコピー画像を形成する場合においても、前記アノテーション制御部は、該画像形成部に、用紙上の同一の位置にアノテーションを形成させるものであることを特徴とする請求項１記載の画像形成装置。
【請求項３】
前記画像形成部が、前記原稿読取部で読み取られた原稿のサイズに応じて複数サイズの用紙にコピー画像を形成するものであって、
前記画像形成部よりも後段に、コピー画像が形成された大きなサイズの用紙を、コピー画像が形成された小さなサイズの用紙に合わせて折り畳む後処理部を備え、
前記アノテーション制御部は、前記画像形成部に、大きなサイズの用紙には、前記後処理部で折り畳んだ後における、小さなサイズの用紙上のアノテーションの位置と同一の位置にアノテーションを形成させるものであることを特徴とする請求項１記載の画像形成装置。
【発明の詳細な説明】
【技術分野】
【０００１】
本発明は、原稿読取部で読み取られた原稿のコピー画像を用紙上に形成する画像形成装置に関する。
【背景技術】
【０００２】
従来、複数の原稿からなる原稿束を構成する各原稿を読み取り、読み取られた原稿を用紙の両面にコピーすることのできる両面画像形成装置が知られている。従来の両面画像形成装置には自動原稿搬送装置を備えたものが多いが、多数枚の原稿を連続して複写する場合に、ユーザは予め原稿の画像が片面のみにあるか両面共にあるかを確認した上で片面モードもしくは両面モードの何れかのモードを指定してコピーを開始するようになっている。従ってこのような両面画像形成装置によって片面と両面の混在した原稿をコピーする際には前もって原稿を片面原稿と両面原稿とに仕分けておき、それぞれ別個のコピーモードを指定した後コピーを開始する必要があり能率的ではない。
【０００３】
そこで、片面原稿および両面原稿が混在する複数枚の原稿を読み込んでコピーを出力する両面画像形成装置において、原稿の給送手段と、原稿が片面印字であるか両面印字であるかを判断する判別手段とを備え、混在原稿をそのまま読み込み、片面コピーモード、両面コピーモード、あるいは片面および両面混在コピーモードのいずれのコピーモードで出力するかを指定することにより、所望のコピーを出力できるようにした両面画像形成装置が開示されている（例えば、特許文献１参照。）。
【０００４】
また、従来の画像形成装置において、例えば用紙の右上、右下、中央下などに「秘」、「回覧」、「至急」などのスタンプや、ページ数などのいわゆるアノテーション（注釈）を印字する機能を有する画像形成装置が知られており、また、画像形成部よりも後段に、コピー画像が形成された大きなサイズの用紙を、コピー画像が形成された小さなサイズの用紙に合わせてＺ状に折り畳んで出力するＺ折り装置や、コピー画像が形成された後の用紙の束の一端をステープルで綴じるステープラ装置などの後処理装置を組み込んだ画像形成装置も広く用いられている。
【特許文献１】特開平０５−３３３６４２号公報（第１−２頁、図１）
【発明の開示】
【発明が解決しようとする課題】
【０００５】
しかし、従来の画像形成装置により、例えばＡ４縦とＡ３横の混在原稿を両面印字モードでプリントし、かつそのプリントされた用紙にＺ折り処理を施す場合に次のような問題を起こすことがある。
【０００６】
すなわち、上記の例でＡ４縦原稿とＡ３横原稿のうち、Ａ４縦原稿は原寸のままプリントされるが、Ａ３横原稿は、ユーザの設定に応じて又は画像形成装置による自動設定機能に基づき、Ａ３横用紙の片面にＡ３横イメージのプリントを作成するように設定することも、また、Ａ４縦用紙の片面にＡ３からＡ４に縮小されたイメージのプリントを作成するように設定することも可能である。
【０００７】
ここで、ユーザが、アノテーションとして、例えば各プリントのページ中央下の位置にページ番号を印字するように設定を行うと、次に示すようなプリント出力が得られる。
【０００８】
図４は、従来の画像形成装置によるアノテーション付きのプリント出力例を示す図である。
【０００９】
図４には、Ａ４縦原稿３枚、Ａ３横用紙１枚、Ａ４縦原稿２枚からなる６枚の原稿９０、Ａ３横の原稿を原寸のまま出力した場合のプリント９１、およびＡ３横の原稿をＡ４に縮小して出力した場合のプリント９２が示されている。
【００１０】
図４に示すように、従来の画像形成装置では画像イメージに対してアノテーションが形成されるので、プリント９１では、３枚目のプリントの表面には、Ａ３横用紙の片面に原寸大のイメージが形成され、その原寸大イメージの中央下の位置にページ番号「（４）」が印字される。
【００１１】
この例では、さらに後処理装置によるＺ折り処理が行われる。
【００１２】
図５は、Ｚ折り処理された用紙を示す図である。
【００１３】
図５に示すように、用紙がＺ折り処理されると用紙の搬送方向の中心に第１の折り目９３、およびその第１の折り目９３と用紙の搬送方向先端９４との中心に第２の折り目９５が形成される。
【００１４】
従って、図４に示したプリント９１の３枚目の用紙は、第１の折り目９３の位置にページ番号「（４）」が印字されているため、Ｚ折り処理された後にはページ番号「（４）」は隠れてしまい、アノテーションとしての効果が失われてしまう。
【００１５】
また、図４に示すように、プリント９２では、３枚目のプリントの表面には、Ａ３縮小イメージ９７のプリントが形成されるが、そのイメージ９７に、画像イメージとともに縮小されたアノテーション９６（ページ番号「（４）」）が印字されてしまい、他のプリントに印字されたページ番号よりも文字サイズが小さいため識別しにくく、また見る人に違和感を与える。
【００１６】
本発明は、上記事情に鑑み、どのような画像形成処理を行った場合にも用紙上の同一の位置にアノテーションを形成することができる画像形成装置を提供することを目的とする。
【課題を解決するための手段】
【００１７】
上記課題を解決する本発明の画像形成装置は、
複数の原稿からなる原稿束を構成する各原稿を読み取る原稿読取部と、該原稿読取部で読み取られた原稿のコピー画像を用紙上に形成する画像形成部とを備えた画像形成装置において、
上記原稿読取部が、複数サイズの原稿が混在する原稿束を構成する各原稿を読み取る機能を有し、
この画像形成装置が、上記画像形成部に、原稿のサイズの如何にかかわらず、コピー画像が形成された用紙上の同一の位置にアノテーションを形成させるアノテーション制御部を備えたことを特徴とする。
【００１８】
本発明の画像形成装置によれば、どのような画像形成処理を行った場合にも用紙上の同一の位置にアノテーションが形成されるようにアノテーション制御部が画像形成部を制御するので、識別のしやすいプリントを得ることができる。
【００１９】
ここで、上記画像形成部は、読み取った原稿の拡大もしくは縮小したコピー画像を形成する機能を有し、該画像形成部が、拡大もしくは縮小したコピー画像を形成する場合においても、上記アノテーション制御部は、該画像形成部に、用紙上の同一の位置にアノテーションを形成させるものであってもよい。
【００２０】
本発明の画像形成装置を上記のように構成した場合は、原稿を拡大しもしくは縮小したコピー画像を形成した場合にも用紙上の同一の位置に同一の大きさのアノテーションが形成されるようにアノテーション制御部が画像形成部を制御するので、識別のしやすいプリントを得ることができる。
【００２１】
また、上記画像形成部が、上記原稿読取部で読み取られた原稿のサイズに応じて複数サイズの用紙にコピー画像を形成するものであって、
上記画像形成部よりも後段に、コピー画像が形成された大きなサイズの用紙を、コピー画像が形成された小さなサイズの用紙に合わせて折り畳む後処理部を備え、
上記アノテーション制御部は、上記画像形成部に、大きなサイズの用紙には、上記後処理部で折り畳んだ後における、小さなサイズの用紙上のアノテーションの位置と同一の位置にアノテーションを形成させるものであってもよい。
【００２２】
本発明の画像形成装置を上記のように構成した場合は、コピー画像形成後の用紙に折り畳み処理を施した場合にも用紙上の同一の位置に同一の大きさのアノテーションが形成されるようにアノテーション制御部が画像形成部を制御するので、識別のしやすいプリントを得ることができる。
【発明の効果】
【００２３】
以上説明したように本発明によれば、どのような画像形成処理を行った場合にも用紙上の同一の位置にアノテーションを形成することのできる画像形成装置を実現することができる。
【発明を実施するための最良の形態】
【００２４】
以下図面を参照して本発明の画像形成装置の実施の形態を説明する。
【００２５】
図１は、本発明の画像形成装置の一実施形態を示すブロック図である。
【００２６】
図１に示すように、この画像形成装置１０は、複数の原稿からなる原稿束を構成する各原稿を読み取る原稿読取部１１と、該原稿読取部で読み取られた原稿のコピー画像を用紙上に形成する画像形成部１２と、画像形成部１２よりも後段に設けられた、コピー画像が形成された大きなサイズの用紙をコピー画像が形成された小さなサイズの用紙に合わせて折り畳む後処理部１３と、画像形成装置１０全体の動作を制御するコントローラ１４と、ユーザの操作に応じてコントローラ１４に指示を与えるユーザインターフェース１６とを備えている。
【００２７】
この画像形成装置１０では、原稿読取部１１は複数サイズの原稿が混在する原稿束を構成する各原稿を読み取る機能を有している。
【００２８】
また、この画像形成装置１０は、画像形成部１２に、原稿のサイズの如何にかかわらず、コピー画像が形成された用紙上の同一の位置にアノテーションを形成させるアノテーション制御部１５を備えている。本実施形態では、このアノテーション制御部１５は上記コントローラ１４の内部に形成されている。アノテーション制御部１５の動作については後述する。
【００２９】
また、この画像形成装置１０では、画像形成部１２は、読み取った原稿の拡大もしくは縮小したコピー画像を形成する機能を有しており、画像形成部１２が、拡大もしくは縮小したコピー画像を形成する場合においても、アノテーション制御部１５は、画像形成部１２に、用紙上の同一の位置にアノテーションを形成させるように構成されている。
【００３０】
さらに、この画像形成装置１０では、画像形成部１２が、原稿読取部１１で読み取られた原稿のサイズに応じて複数サイズの用紙にコピー画像を形成するものであって、アノテーション制御部１５は、画像形成部１２に、大きなサイズの用紙には、後処理部１３で折り畳んだ後における、小さなサイズの用紙上のアノテーションの位置と同一の位置にアノテーションを形成させるように構成されている。
【００３１】
次に、この画像形成装置１０の制御系統について説明する。
【００３２】
図２は、図１に示した画像形成装置の制御系統を示す図である。
【００３３】
図２に示すように、この画像形成装置では電源がオンとなると、コントローラ１４は画像形成部１２に対して、画像形成部１２の有する画像形成機能、アノテーション形成機能、イメージ拡大・縮小機能、片面・両面画像形成機能などを問い合せる（ステップＳ０１）。また、画像形成部１２に組み込まれた給紙トレイ１７に対して、給紙トレイ１７の有する給紙機能などを問い合せる（ステップＳ０２）。さらに、後処理部１３に対して、後処理部１３の有するアノテーション機能などを問い合せる（ステップＳ０３）。
【００３４】
コントローラ１４からの問い合せを受けた各部はそれぞれの有している機能に関する情報をコントローラ１４に通知する（ステップＳ０４，Ｓ０５，Ｓ０６）。コントローラ１４は、これら各部から通知された情報をユーザインターフェース１６に通知する（ステップＳ０７）。
【００３５】
ユーザインターフェース１６は、コントローラ１４から通知された情報を所定の表示装置上に表示し、ユーザの操作に応じてこれからこの画像形成装置１０が実行するプリント条件、アノテーション条件、後処理条件などを設定し、それらに関する情報をコントローラ１４に通知する（ステップＳ０８）。
【００３６】
コントローラ１４は、ユーザインターフェース１６から情報を受け取ると、コントローラ１４に内蔵されたアノテーション制御部１５は、ユーザインターフェース１６から受け取った情報に基づき、この画像形成装置から最終的に出力される用紙上の同一の位置にアノテーションを形成するように画像形成部１２による画像形成動作条件を設定して、画像形成部１２に指示を与える（ステップＳ０９）。画像形成部１２は、コントローラ１４からの指示に基づき給紙トレイ１７に対して指示を与える（ステップＳ１０）。また、画像形成部１２は、コントローラ１４からの指示に基づき後処理部１３に対して指示を与える（ステップＳ１２）。
【００３７】
給紙トレイ１７は、画像形成部１２からの指示に応じて用紙の搬送準備を行いその結果を画像形成部１２に通知する（ステップＳ１１）。
【００３８】
こうして画像形成部１２が給紙トレイ１７から搬送準備が行われた旨の通知を受けると画像形成が開始される。画像が形成され後処理が終了すると、後処理部１３から用紙出力が行われた旨が画像形成部１２に通知される（ステップＳ１３）。画像形成部１２は後処理部１３からの用紙出力が行われた旨の通知を受けると次の画像形成を開始する。
【００３９】
次に、本実施形態の画像形成装置におけるアノテーション設定項目について説明する。
【００４０】
表１は、本実施形態の画像形成装置におけるアノテーション設定項目を示す表である。
【００４１】
【表１】
2007065141.tif 000003
【００４２】
表１に示すように、本実施形態においては、「ページ」、「スタンプ」、「複製管理」の３項目のアノテーション設定項目について、図示のように「登録パターン」、「登録種類」、「印字ページ指定」、「位置変更」、「サイズ変更」、「シート位置（ＬＥ/ＴＥ）」、および「印字方向」がそれぞれ設定できるようになっている。
【００４３】
次に、本実施形態の画像形成装置による実施例について説明する。
【００４４】
図３は、本実施形態の画像形成装置によるプリント出力例を示す図である。
【００４５】
ここでは、例えばＡ４縦とＡ３横の混在原稿２０を両面印字モードで印字し、かつＺ折り処理を実施した場合について説明する。
【００４６】
図３に示すように、この例ではＡ４縦の原稿は原寸のままプリントされるが、Ａ３横の原稿は、ユーザの設定に応じて又は画像形成装置による自動設定機能に基づき、Ａ３横用紙の片面にＡ３横イメージのプリントを作成することも、また、Ａ４縦用紙の片面にＡ３からＡ４に縮小されたイメージのプリントを作成することもできる。
【００４７】
ここで、ユーザが、作成されるプリントの例えばページの中央下の位置にページ番号を形成するように設定を行うと、各ページの中央下の位置にページ番号が印字されたプリントが得られる。
【００４８】
ここで、ユーザの指示により、Ａ３横原稿についてはＡ３横用紙の片面にＡ３横イメージのプリントを作成するように設定されている場合には、図３に示すプリント２１が得られる。このプリント２１の３枚目のプリントにはＺ折り処理が施されるが、この３枚目のプリントの第２の折り目２５と用紙の搬送方向先端部２４とに挟まれた部分の中央下の位置にアノテーション２６（ページ番号「（４）」）が印字されている。
【００４９】
また、ユーザの指示により、Ａ３横原稿についてはＡ４縦用紙の片面にＡ３からＡ４に縮小されたイメージのプリントを作成するように設定されている場合には、図３に示すプリント２２が得られる。このプリント２２の３枚目のプリントにはＡ３からＡ４に縮小されたイメージ２７が形成されているが、この３枚目のプリントのアノテーション２６（ページ番号「（４）」）は、プリント中央下の位置に印字されている。
【００５０】
以上説明したように、本実施形態の画像形成装置によれば、どのような画像形成処理を行った場合にも、画像形成後の用紙上の同一の位置にアノテーションを形成することができる。
【図面の簡単な説明】
【００５１】
【図１】本発明の画像形成装置の一実施形態を示すブロック図である。
【図２】図１に示した画像形成装置の制御系統を示す図である。
【図３】本実施形態の画像形成装置によるプリント出力例を示す図である。
【図４】従来の画像形成装置によるアノテーション付きのプリント出力例を示す図である。
【図５】Ｚ折り処理された用紙を示す図である。
【符号の説明】
【００５２】
１０    画像形成装置
１１    画像読取部
１２    画像形成部
１３    後処理部
１４    コントローラ
１５    アノテーション制御部
１６    ユーザインターフェース
１７    給紙トレイ
２０    混在原稿
２１，２２    プリント
２４    先端部
２５    折り目
９０    混在原稿
９１，９２    プリント
９３，９５    折り目
９４    先端部
【図１】
2007065141.tif 000004
【図２】
2007065141.tif 000005
【図３】
2007065141.tif 000006
【図４】
2007065141.tif 000007
【図５】
2007065141.tif 000008